(57)【要約】      （修正有）【課題】メンテナンスする際、作業者を劣悪な環境に陥れることなく、簡単にかつまんべんなく洗浄できるフィルタを提供する。【解決手段】フィルタ１は、筒状に成形されたろ材２と、開口部４を有し、ろ材２の両端にそれぞれ設けられるフランジ３と、フランジ３の一方に脱着可能に嵌められるエンドキャップ１３とを備え、エンドキャップ１３とフランジ３の一方の間には、エンドキャップ１３がフランジ３に嵌められた際、開口部４が封止される封止部材１１を介在させる。【選択図】図１
0003198896.tif 000002
【実用新案登録請求の範囲】
【請求項１】
筒状に成形されたろ材と、
開口部を有し、前記ろ材の両端にそれぞれ設けられるフランジと、
前記フランジの一方に脱着可能に嵌められるエンドキャップと、を備え、
前記エンドキャップと前記フランジの一方の間には、前記エンドキャップが前記フランジに嵌められた際、前記開口部が封止される封止部材が介在していることを特徴とするフィルタ。
【請求項２】
請求項１に記載のフィルタにおいて、
前記エンドキャップは、係止部材によって前記フランジに脱着可能に嵌められることを特徴とするフィルタ。
【請求項３】
請求項１または請求項２に記載のフィルタにおいて、
少なくとも前記フランジの一つには、中空のボス部と、外周にリブ部とが設けられていることを特徴とするフィルタ。
【請求項４】
請求項３に記載のフィルタにおいて、
前記フランジの一つには、前記中空のボス部に係止部材が設けられることを特徴とするフィルタ。
【請求項５】
請求項４に記載のフィルタにおいて、
前記係止部材とは、ピン、貫通棒またはリングの突片であることを特徴とするフィルタ。
【請求項６】
請求項１ないし請求項５のいずれかに記載のフィルタにおいて、
前記ろ材は、折りたたんで形成した多数のひだを有するプリーツ状に成形されていることを特徴とする集塵機。
【請求項７】
請求項１ないし請求項６のいずれかに記載のフィルタにおいて、
前記ろ材のろ過方向は内側から外側であることを特徴とするフィルタ。
【考案の詳細な説明】
【技術分野】
【０００１】
本考案は、集塵機に使用する洗浄可能なフィルタに関する。
【背景技術】
【０００２】
粉じんを含む空気をフィルタ部で濾過することで空気中の粉じんを除去する集塵機では、フィルタに目詰まりが生じると集塵能力が低下する。よって、集塵機においては、フィルタを集塵機に取り付けたまま、フィルタに付着した粉じんを取り除くといった払い落とし作業が行われる。こうした集塵機に使用されるフィルタは、ろ過面積を大きくとるため、通気性やろ過性に優れた不織布をひだ折に成形し、円筒形状に配置したものが多くあるが、プリーツ（ひだ折）の谷間に入りこんだ粉じん（特に吸湿性が高い粉体）は落ちにくく、フィルタの清掃に際しては、フィルタを打撃してその衝撃で粉じんを払い落したり、プリーツの山部を弾性部材などで弾いて機械的に粉じんを払い落したり（特許文献１）、あるいはフィルタの裏側から（ろ過方向とは逆方向から）圧縮空気を吹き付けることでフィルタの表側に付着した粉じんを吹き飛ばしたりしている。場合によっては、フィルタを集塵機から取り外し、フィルタに付着した粉じんを手作業によって払い落とすこともある。
【先行技術文献】
【特許文献】
【０００３】
【特許文献１】特開２０１０−８９０２７号公報
【考案の概要】
【考案が解決しようとする課題】
【０００４】
しかし、フィルタを打撃したり、プリーツの山部を弾性部材で弾くにしても、あるいは圧縮空気の吹き付けによって粉じんを払い落とすにしても、粉じんがフィルタに堅固に付着している場合には、フィルタに付着した粉じんを良好に弾き、あるいは吹き飛ばせないことがある。また、粉じんが粉状（パウダー状）のような微細な粉じんであると、粉じんがフィルタの細かな目に入り込んで堅固に付着している。また、手作業によってフィルタに付着した粉じんを払い落とす作業は面倒で、舞い上がる粉じんの中といったの劣悪な環境下での作業を強いられる。
【０００５】
実際、このように払い落とし装置や圧縮エアなどでも取り除けないフィルタに付着した粉じんを取り除くには、フィルタを集塵機から取り外して水洗いをするなどの洗浄が一番きれいになるのだが、図６に示すように、従来のフィルタに水を入れて洗おうとすると、片方が閉塞されているので、水圧によりフィルタが膨らみ変形してしまう恐れがある。そこで、フィルタが水圧で変形しないよう、開口部を下にして下から水を噴射させて洗浄しようとすると、作業者へ粉じんの混じった水がかかり、洗浄しづらく、また、フィルタの奥側がきれいに洗浄できない。
【０００６】
本考案は、上記の点を鑑み、作業者を劣悪な環境に陥れることなく、簡単にかつまんべんなく洗浄できるフィルタを提供することを目的とする。
【課題を解決するための手段】
【０００７】
本考案の好ましい実施形態によれば、フィルタは、筒状に成形されたろ材と、開口部を有し、前記ろ材の両端にそれぞれ設けられるフランジと、前記フランジの一方に脱着可能に嵌められるエンドキャップとを備え、前記エンドキャップと前記フランジの一方の間には、前記エンドキャップが前記フランジに嵌められた際、前記開口部が封止される封止部材を介在させる。エンドキャップは、係止部材によって前記フランジに脱着可能に嵌められる。
【０００８】
係止部材は、エンドキャップ側につけても、フランジ側につけてもかまわない。これによれば、フィルタの洗浄時に、フィルタの両端を開口できるので、フィルタ内部に水をかけても水圧でフィルタが膨らんで変形することもなく、また内部を確認しやすいので、まんべんなく洗浄できる。
【０００９】
また、少なくとも前記フランジの一つには、中空のボス部と、外周にリブ部とが設けられている。そして両端のフランジの一つには、中空のボス部に係止部材を設けられる。この係止部材とは、ピン、貫通棒またはリングの突片であってもよい。
【００１０】
これによると、フィルタを容易に位置決めして仕切板の上に設置することができ、仕切板に対してフィルタを着脱自在に取り付けることができる。さらに、フィルタの上下方向の動きを規制することができる。
【考案の効果】
【００１１】
フィルタをメンテナンスする際、作業者を劣悪な環境に陥れることなく、簡単にフィルタを集塵機から取り外しができ、かつ、まんべんなく洗浄できる。
【図面の簡単な説明】
【００１２】
【図１】本考案に係るフィルタで、（ａ）外観図、（ｂ）断面図、（ｃ）フランジを仕切板に設置した際の断面図である。
【図２】同フィルタのエンドキャップの斜視図である。
【図３】同フィルタのフランジに取り付ける貫通棒を示す（ａ）外観図、（ｂ）斜視図である。
【図４】他の実施例に係るフィルタで、（ａ）外観図、（ｂ）断面図である。
【図５】他の実施例に係るフィルタエンドキャップの（ａ）断面図、（ｂ）斜視図である。
【図６】従来のフィルタを示す斜視図である。
【考案を実施するための形態】
【００１３】
以下、本考案の実施形態につき図面を参照しながら説明する。各図において、同一の部分または対応する部分には、同一の符号を付してある。
【００１４】
本実施形態で用いるフィルタ１は、図１で示すように、ろ材２を折りたたんで形成した多数のひだを有する、プリーツ状の円筒形フィルタである。ひだを形成するのは、フィルタ自体のコンパクトさを維持しつつ、ろ過面積を増大させるためである。このフィルタ１のろ材２は、フェルトのような不織布が用いられる。不織布は、織布に比べて２倍以上の空隙率を有しているため、ろ過量を多く確保することができ、また、容易にプリーツ状に成型できる利点がある。
【００１５】
多数のひだを形成されたろ材２は、断面が星形状になるように円筒形に成形され、その上部と下部それぞれに同じ形状のフランジ３が設けられて円筒形状に保持される。このフランジ３の裏側は、図１に示すように、開口部４を囲んで下方へ突出する中空のボス部５と、外周にボス部５より低いリブ部６が突出するようにフランジ３と一体に成形されている。ボス部５は、図示しない集塵機の仕切板７に取り付ける際、仕切板７に設けられた穴８を嵌まってフィルタ１を位置決めする役割を果たし、さらにこのボス部５には、外側に突出するピン９が埋設されている。このピン９は、ボス部５の周方向に沿って複数設けられている。また、ピン９は埋設ではなくフランジと一体に形成してもよく、ピンではなく幅のある突片でもよい。あるいはピン９の代わりに、図３に示すように、一本の貫通棒１０を用いることもでき、ピンや貫通棒などこれらはすべてフィルタ１と仕切板７とを係止させる係止部材である。
【００１６】
フィルタ１を仕切板７に取り付けるには、ピン９が仕切板７に設けられた穴８の切欠き部８ａを通るように、フィルタ１を仕切板７に設置させる。そして、この状態でフィルタ１を周方向に回転させると、ピン９が仕切板７の一部である図示されない係止片に係止する。これにより、フィルタ１は、位置決めされた状態で仕切板７に設置される。
【００１７】
フィルタ１と仕切板７との間には、封止部材１１を介在させている。この封止部材１１は、外周に沿ってＶ字状の溝１１ａを有する環状の弾性部材（たとえばゴム）からなり、その内径がボス部５の外径より若干小さいため、弾性を有する封止部材１１は、ボス部５に圧入された状態で固定される。あらかじめボス部５に装着された封止部材１１は、フィルタ１を仕切板７に設置した状態では、ボス部５より低いリブ部６を介在させてあるので、所望のシール性能を発揮できるように適度に圧縮されるよう、仕切板７とフランジの間に環状空間１２が形成されて、仕切板７の穴８の周縁を封止する。
【００１８】
図１では、フィルタ１を仕切板７の上に置く場合の状態が示されているが、上述した構造によって、フィルタ１を仕切板７の下にぶら下げる場合でも、所望のシール性能を得ることができる。
【００１９】
本実施形態の封止部材１１を用いた場合は、強い締め付け力を必要とせずに十分なシール性を得ることができるとともに、経年劣化の影響も少ないので、安定したシール性能を維持することができる。
【００２０】
フィルタ１を仕切板７から取り外す場合は、フィルタ１を取付時とは逆の方向に回転させる。すると、ピン９が係止片から外れるので、ピン９と仕切板７の切欠き部８ａとが一致する位置で、フィルタ１を上方あるいは下方へ引き抜けば、ピン９が切欠き部８ａを通過して、フィルタ１を取り外すことができる。
【００２１】
このように、本実施形態では、フィルタ１の取り付けや取り外しを、工具を使用せずに簡単に行うことができるので、フィルタ１の設置作業や交換作業が容易となる。また、取り付け時に、フィルタ１を回転させることで、ピン９が係止片に係止するので、フィルタ１を容易に位置決めして仕切板７に設置できるとともに、仕切板７に対してフィルタ１を着脱自在に取り付けることができる。さらに、ピン９と係止片との係止により、フィルタ１の上下方向の動きを規制することができる。とはいうものの、仕切板７に設けられた係止片は必ずしも設けなくてもかまわない。
【００２２】
一方、図２に示すように、フィルタ１の他方側（仕切板に接触させない側）のフランジ３には、その開口部４を閉塞するようにエンドキャップ１３をかぶせる。エンドキャップ１３の周壁部１４の内側にはピン１５が周方向に沿って複数設けられており、このピン１５がフランジ３のリブ部６の外周に軸方向に設けられた溝６ａに沿って通ることで、エンドキャップ１３がフランジ３に嵌められる。そして、エンドキャップ１３を周方向に回転させることで、開口部４が閉鎖される。エンドキャップ１３を取り外す際は、エンドキャップ１３を取付時と反対に回転させることで、ピン１５が溝６ａに沿って、エンドキャップを外すことができる。
【００２３】
さらに、図２に示すように、エンドキャップ１３がフランジ３に対面する側には、その中心にフランジ３のボス部５に対応させた凹み部１６を設けられている。エンドキャップ１３をフランジ３に嵌めた状態では、リブ部６の介在によって、エンドキャップ１３との間に封止部材１１が所望のシール性能を発揮できる程度に圧縮される環状空間１７を形成するよう、凹み部１６の周縁は肉厚に形成されている。これによって、開口部４は封止されるのである。
【００２４】
集塵機の構成によって、含塵空気をフィルタがろ過する場合のろ過方向は、内側から外側へ空気を案内する場合と、外側から内側へ案内する場合とある。ろ過方向が内側から外側の場合は、フィルタの開口部から含塵空気がフィルタの筒内へ入り込み、外側から内側へろ過される場合は、開口からろ過後の清浄空気が流出される。ろ過中、フィルタの開口部の反対側は、閉じられることによって、含塵気流はろ材を経由するように案内されるのであり、従来のフィルタでは、閉口側は、含塵空気がろ過される際の圧力に抗するよう開口できないように形成されているのが常であった。しかし、本考案に係るフィルタ１は、閉口側のフランジ３に脱着可能なエンドキャップ１３を嵌めることにより、ろ過中、エンドキャップ１３が圧力に抗してフィルタの一方側を閉口し、メンテナンス時にフィルタ１を洗浄する際には、エンドキャップ１３をはずして、フィルタをまんべんなく洗浄できるようにし、かつ洗浄作業を行いやすくできるのである。
【００２５】
一般的に、ひだを折り込んだ円筒形フィルタでは、内側よりも外側の方が処理面積が大きくなるため、ろ過方向は、外側から内側である場合が多い。一方、フィルタメンテナンスの観点から言えば、ろ過方向が内側から外側の場合の方が、粉じんがフィルタの外側に堆積しないため、作業者にとっては粉じんまみれになることなくフィルタ交換等でき、フィルタが設置される集塵機のろ過室も清浄な状態が維持される等のメリットがある。とりわけ、本考案のフィルタは、フィルタ洗浄の際、両端を開口でき、フィルタの内側を洗いやすくできるため、ろ過方向が内側から外側であるフィルタには特に有効である。                                                                                                                                                                                                                                                    
【００２６】
フィルタ１洗浄時には、その両端を開口できるので、円筒内部に水をかけても水圧でフィルタが膨らんで変形することもなく、内部を確認しやすいので、粉じん（粉体）をまんべんなく洗浄できるのである。さらに、フィルタ１のフランジ３の形状を両端ともに同じ形状にすることで、従来ならば、開口側と閉口側の二つの異なる形状の金型を用意しなければならなかったものが、一つの金型で済むという製造上・経済上のメリットもある。
【００２７】
また、フィルタを洗浄できるので、フィルタを新品に交換する頻度が減り、産業廃棄物も減らすことができ、環境にも優しいうえにランニングコストも下げることができる。
【００２８】
特に衛生管理面から装置全体を丸洗いできるというニーズが高い食品工場等に採用される集塵機等においては、機体本体だけでなく、フィルタ自体も丸洗いできることは大きなメリットとなる。食品工場には、圧縮空気の供給源が設けられていない場合が多く、圧縮空気でフィルタに付着した粉じん（あるいは粉体）を吹き飛ばすこともしがたい現場では、フィルタを丸洗いできることは衛生管理しやすくなるからである。
【００２９】
本考案では、以上述べた実施形態以外にも、以下のような種々の実施形態を採用することができる。
【００３０】
仕切板７に取りつける側のフランジ３に設けたピン９の代わりに、図４に示すように、ボス部５´にネジ孔１８を形成し、金属の第１リング１９、第２リング２０を付設させる。ボス部５´にはあらかじめ封止部材１１が装着されており、各リング１９、２０には、ボス部５´のネジ孔１８と対応させた透孔が設けられており、ネジでボス部５´に固定される。
【００３１】
第１リング１９には、半径方向へ突出する少なくとも２個の突片１９ａ（係止部材）が形成されており、この突片１９ａが仕切板７´の切欠き部８´ａを通るように、フィルタ１´を仕切板７´に設置し、周方向に回転させるのである。第２リング１９は、仕切板７´の穴８´へのガイドの役割を果たす。
【００３２】
図５に示すように、エンドキャップ１３´の凹み部１６´の中心部に、フランジ３´´の開口部４´´に嵌め込まれるよう凸部２１を設けても良い。フランジ３´´の平面に封止部材１１が圧縮されて開口部が封止される。図５に示されるように、エンドキャップ１３が嵌められる側のフランジの形状は、必ずしも集塵機の仕切板に係止される側のフランジの形状と同じである必要はなく、図６の従来例に示すようなフランジの形状であってもかまわない。
【００３３】
また、エンドキャップ１３とフランジ３の間に介在する封止部材は、必ずしも図２に示すようなＶ字状の溝を有する環状の弾性部材である必要はなく、エンドキャップ１３の凹み部に弾力性を有するゴム板やスポンジパッキン等を張り付け、エンドキャップ１３をフランジに取り付けた際、ボス部の端面によってゴム板等が圧縮されて、開口部が封止されるようにしてもよい。
【００３４】
前記実施形態では、ろ材として不織布を用い、多数のひだを成形した円筒形の成型フィルタであったが、ろ材は必ずしも不織布である必要はなく、織布を用いたものであっても、金属を用いたものであってもよい。また、ひだを成形したものでなくともかまわない。また、フィルタの立体形状は、円筒形に限らず、多角形の筒体であってもよい。
【００３５】
食品業界向けの集塵機だけでなく、食品業界以外の業界で使用される集塵機にも適用することができる。
【符号の説明】
【００３６】
１、１´       フィルタ
２                   ろ材  
３、３´、３´´      フランジ
４、４´、４´´       開口部
５、５´       ボス部
６、６´       リブ部  
６ａ               溝
７、７´       仕切板
８、８´       仕切板の穴
８ａ、８´ａ               切欠き部
９                   ピン（係止部材）
１０               貫通棒（係止部材）
１１               封止部材
１２、１７   環状空間
１３               エンドキャップ
１４               周壁部
１５               ピン（係止部材）
１６               凹み部
１８               ネジ孔
１９               第１リング
１９ａ           突片（係止部材）
２０               第２リング
２１               凸部
【図１】
0003198896.tif 000003
【図２】
0003198896.tif 000004
【図３】
0003198896.tif 000005
【図４】
0003198896.tif 000006
【図５】
0003198896.tif 000007
【図６】
0003198896.tif 000008
【手続補正書】
【提出日】平成27年5月28日(2015.5.28)
【手続補正１】
【補正対象書類名】実用新案登録請求の範囲
【補正対象項目名】請求項６
【補正方法】変更
【補正の内容】
【請求項６】
請求項１ないし請求項５のいずれかに記載のフィルタにおいて、
前記ろ材は、折りたたんで形成した多数のひだを有するプリーツ状に成形されていることを特徴とするフィルタ。